(57)【要約】【課題】矩形のフェンスが設置された場所において生ずることがある様々な形状や大きさの隙間を、融通性をもって塞ぐことができる組立式フェンスを得ること。【解決手段】長さ方向の複数個所の表裏を長孔３２で貫通させた複数個の格子部材３１を所定間隔で並べ、これらの格子部材３１を複数個の固定部５１で固定する。固定部５１は、格子部材３１の間の隙間又は長孔３２に複数個の突部５２を差し込んだ状態で配置される複数個の固定部材と、固定部材と共に格子部材３１を挟み持つ挟持部材と、によって実現される。一端側の配列間隔が別の一端側の配列間隔よりも狭まるようにして並べた格子部材３１を固定部５１で固定すれば、組立式フェンス１１を扇形形状に組み立てることが可能となり、例えば、既存の定置式フェンス１０１と斜面ＳＦとの間に生ずる隙間を塞ぐことができる。【選択図】図７
2013124472.tif 000002
【特許請求の範囲】
【請求項１】
細長い形状に形成され、長さ方向に異なる少なくとも二箇所の表裏を長さ方向に長い長孔で貫通させた複数個の格子部材と、
隣接するもの同士が平行又は互いに傾斜した状態となるように前記格子部材を所定間隔で並べた状態で、これらの格子部材の間の隙間又は前記長孔に入り込む複数個の突部を一列に配列する、少なくとも二つの固定部材と、
前記突部に着脱自在に固定され、前記突部に固定された状態で前記固定部材と共に前記格子部材を挟み持つ、前記固定部材毎に設けられた挟持部材と、
を備えることを特徴とする組立式フェンス。
【請求項２】
前記少なくとも二つの固定部材は、前記突部の配列方向の長さがそれぞれ異なる、ことを特徴とする請求項１に記載の組立式フェンス。
【請求項３】
前記挟持部材は、対応する前記固定部材に幅寸法を合わせた単一の部材によって形成されている、ことを特徴とする請求項１又は２に記載の組立式フェンス。
【請求項４】
前記挟持部材は、複数個の前記突部がそれぞれ嵌り込む複数個の窪みを備え、前記窪みに嵌り込んだ前記突部を前記窪みの反対側からねじ固定することで、前記突部に着脱自在に固定される、ことを特徴とする請求項１ないし３のいずれか一に記載の組立式フェンス。
【請求項５】
最も外側に位置する前記突部にブラケットを介して当該突部の軸回りに揺動自在に取り付けられ、前記突部に対する前記挟持部材の固定に伴い固定されて、最も外側に位置する前記格子部材よりも更に外側に平坦面を外向きで位置させる端面部材を備える、ことを特徴とする請求項１ないし４のいずれか一に記載の組立式フェンス。
【請求項６】
前記格子部材の互いの配列間隔が狭まる一端側の部分は、互いに隣接する面が傾斜したテーパー形状に形成されている、ことを特徴とする請求項１ないし５のいずれか一に記載の組立式フェンス。
【請求項７】
前記格子部材の互いの配列間隔が狭まる一端側の部分は、互いに隣接する面同士が嵌り合う嵌め合い形状に形成されている、ことを特徴とする請求項１ないし５のいずれか一に記載の組立式フェンス。
【請求項８】
前記格子部材は、互いの配列間隔が狭まる一端側の長さが長短異なる二種類用意され、異なる種類のもの同士が隣接するように組み立てられる、ことを特徴とする請求項１ないし５のいずれか一に記載の組立式フェンス。
【請求項９】
細長い形状に形成され、長さ方向に異なる少なくとも二箇所の表裏を長さ方向に長い長孔で貫通させた複数個の格子部材を、隣接するもの同士が平行又は互いに傾斜した状態となるように、所定間隔で並べる工程と、
複数個の突部を一列に配列する少なくとも二つの固定部材を、所定間隔で並べた前記格子部材の長さ方向に異なる位置に位置させて、それらの格子部材の間の隙間又は前記長孔に前記突部を差し込ませて配置する工程と、
前記突部に固定された状態で前記固定部材と共に前記格子部材を挟み持つ挟持部材を前記突部に固定して、前記固定部材と前記挟持部材とで前記格子部材を挟み持つ工程と、
を備えることを特徴とする組立式フェンスの組立方法。
【請求項１０】
前記少なくとも二つの固定部材として、前記突部の配列方向の長さがそれぞれ異なるものを用いる、ことを特徴とする請求項９に記載の組立式フェンスの組立方法。
【発明の詳細な説明】
【技術分野】
【０００１】
本発明は、複数の部品を組み合わせて組み立てる組立式フェンスに係り、特に、矩形のフェンスが設置された場所において生ずることがある隙間を塞ぐことができる組立式フェンスに関する。
【背景技術】
【０００２】
従来、二つの空間の間を人や動物などが移動するのを禁止したい場合、それらの空間を画する境界にフェンスや柵を廻らせることがある。例えば、土木や建築などの工事現場では、部外者が立ち入って怪我をしたりすることがないよう、仮設のフェンスを設置して工事現場を外部の空間から画するのが一般的である。あるいは、電力事業者が保有する発変電所や送電鉄塔などでも、部外者や動物が侵入して思わぬ事故を引き起こさぬよう、立ち入りを禁止したい施設の周囲をフェンスや柵で覆ったりすることがある。このようなフェンスや柵は、強固な構造物として設けられることもあれば、仮設のものとして設けられることもある。どのようなフェンスや柵を設置するかは、その目的に応じて決められる。
【０００３】
フェンスや柵を設置すべき場所に目を転ずると、その設置場所は、必ずしも平坦地とは限らない。傾斜地であることも少なからずある。傾斜地と一口に云っても、暖傾斜の場合もあれば、法地などの急傾斜地である場合もある。甚だしい例としては、崖地や山裾など、極めて急な斜面や凹凸面を含むような場所に、フェンスや柵を設置しなければならないことも、皆無ではない。
【０００４】
特許文献１は、組立式の仮設フェンスであって、フェンスの裏面に控え柱を裾広がりの傾斜状態で取り付け、この控え柱の下部に固定した杭を地面に打ち込んで設置できるようにしたものが記載されている。控え柱は、伸縮自在であり、なおかつ面状のフェンスパネルに対する取り付け位置を上下にずらすことができる。これにより、フェンスの前後方向が傾斜している傾斜地での設置も可能となっている。つまり、フェンスの後方が上り傾斜となっている場合には、控え柱を縮め、あるいはフェンスパネルに対する取り付け位置を上方にし、傾斜との干渉を防止する（特許文献１の図８参照）。反対に、フェンスの後方が下り傾斜となっている場合には、控え柱を伸ばし、あるいはフェンスパネルに対する取り付け位置を下方にし、杭を確実に地面に打ち込むことができるようにするわけである（特許文献１の図９参照）。特許文献１は、更に、フェンス面方向に傾斜する傾斜地にも、フェンスの設置が可能であることを主張している。その手法は、二つのフェンスを、段違いに連結するというものである（特許文献１の図１０参照）。
【先行技術文献】
【特許文献】
【０００５】
【特許文献１】特開平０８−３１２２０５号公報
【特許文献２】特開２００２−２５０１５３号公報
【発明の概要】
【発明が解決しようとする課題】
【０００６】
特許文献１に記載されているフェンスは、設置場所の地形によっては、仕切ろうとする空間を完全に仕切ることができず、どうしても、隙間の発生を許してしまうことがある。例えば、フェンスの側部を山肌に隣接させて山裾に設置したような場合、垂直になったフェンスの側部と傾斜した山肌部分との間に、三角形形状の隙間が開いてしまう。これは、山のような自然物に限らず、フェンスに隣接する部分が傾斜した人工物、例えば擁壁や土手などである場合も同様である。また、フェンスをフェンス面方向に傾斜する傾斜地に設置した場合には、フェンスの下縁と傾斜する地面との間に隙間が開いてしまう。これは、二つのフェンスを段違いに連結したとしても同様である（特許文献１の図１０参照）。
【０００７】
この点、特許文献２は、面状のフェンスパネルの形状を、矩形形状から平行四辺形形状に自由に変形させて設置できるようにした傾斜地用のフェンスを開示している（特許文献２の段落００１０参照）。このフェンスを用いれば、特許文献１に記載のフェンスを用いた場合の上記問題、つまり、仕切ろうとする空間を隙間なく仕切ることができないという問題を解決することができる。
【０００８】
しかしながら、特許文献２に記載されているフェンスは、隙間を開けることなく空間を仕切れるように設計されているのであって、開いてしまっている隙間を塞ぐという思想に立脚していない。このため、既存のフェンスが設置されている環境下で、その既存のフェンスと山肌や地面などとの間に開いてしまっている隙間を塞ぐ用途には適していない。
【０００９】
また、特許文献２に記載されているフェンスは、共に垂直に配置する一対の柱（特許文献２では縦框７）によってフェンスパネルを支持し、フェンスパネルを平行四辺形形状に変形させてその下縁を傾斜に沿わせることで、隙間を開けることなく空間を仕切るようにしている。このため、傾斜地への設置には適しているものの、フェンスの側部を山肌に隣接させて山裾に設置するというような用途には適していない。この場合には、特許文献１に記載されているフェンスと同様に、垂直になったフェンスの側部と傾斜した山肌部分との間に、三角形形状の隙間が開いてしまう。勿論、山を傾斜と捉え、フェンスパネルを極端な平行四辺形形状に変形させ、その下縁を山肌の傾斜に沿わせることも考えられるが、このようなフェンスの設置には無理があるし、そもそもが、特許文献２での発明者の認識の埒外であろうかと思われる。
【００１０】
もう一つの問題は、設置に際して融通が効かないという問題である。特許文献２に記載されているフェンスは、矩形形状から平行四辺形形状に自由に変形させることができるフェンスパネルと、これを支持する一対の柱とからなる。これらの部材は、予め大きさが定められているため、現場での設置の自由度が少ない。どちらかというと、現場の状況に合わせて適宜調整しながら設置するというよりはむしろ、予めピシッと設計図を作成しておいて、この設計図に従い設置するような使い方に適している。設置の融通性が乏しいわけである。
【００１１】
本発明は、このような点に鑑みなされたもので、矩形のフェンスが設置された場所において生ずることがある様々な形状や大きさの隙間を、融通性をもって塞ぐことができる組立式フェンスを得ることを目的とする。
【課題を解決するための手段】
【００１２】
本発明の組立式フェンスは、細長い形状に形成され、長さ方向に異なる少なくとも二箇所の表裏を長さ方向に長い長孔で貫通させた複数個の格子部材と、隣接するもの同士が平行又は互いに傾斜した状態となるように前記格子部材を所定間隔で並べた状態で、これらの格子部材の間の隙間又は前記長孔に入り込む複数個の突部を一列に配列する、少なくとも二つの固定部材と、前記突部に着脱自在に固定され、前記突部に固定された状態で前記固定部材と共に前記格子部材を挟み持つ、前記固定部材毎に設けられた挟持部材と、を備えることによって上記課題を解決する。
【００１３】
本発明の組立式フェンスの組立方法は、細長い形状に形成され、長さ方向に異なる少なくとも二箇所の表裏を長さ方向に長い長孔で貫通させた複数個の格子部材を、隣接するもの同士が平行又は互いに傾斜した状態となるように、所定間隔で並べる工程と、複数個の突部を一列に配列する少なくとも二つの固定部材を、所定間隔で並べた前記格子部材の長さ方向に異なる位置に位置させて、それらの格子部材の間の隙間又は前記長孔に前記突部を差し込ませて配置する工程と、前記突部に固定された状態で前記固定部材と共に前記格子部材を挟み持つ挟持部材を前記突部に固定して、前記固定部材と前記挟持部材とで前記格子部材を挟み持つ工程と、を備えることによって上記課題を解決する。
【発明の効果】
【００１４】
本発明によれば、一端側の配列間隔が別の一端側の配列間隔よりも狭まるようにして並べた格子部材を複数個の固定部材及び挟持部材で固定すれば、組立式フェンスを扇形形状に組み立てることができ、しかも、複数個の格子部材の配列間隔及び隣接するものとの傾斜角度の設定の仕方如何によって、その扇方形状の大きさ及び形状を自由に設定することができ、したがって、矩形のフェンスが設置された場所において生ずることがある様々な形状や大きさの隙間を、融通性をもって塞ぐことができる。
【図面の簡単な説明】
【００１５】
【図１】実施の一形態として、組み立てられた組立式フェンスの一態様を示す斜視図。
【図２】固定部材の分解斜視図。
【図３】固定部材の分解平面図。
【図４】組立フェンスを設置する設置場所の寸法を測る計測工程の様子を示す正面図。
【図５】計測工程で得た寸法に基づいて、組み立てるべき組立式フェンスの幅を決めて格子部材を並べる配列工程の様子を示す正面図。
【図６】幅設定工程で設定された幅をもって組み立てられた組立式フェンスの一態様を示す正面図。
【図７】組み立てられた組立式フェンスの設置例を示す正面図。
【図８】組み立てられた組立式フェンスの別の設置例を示す正面図。
【図９】組み立てられた組立式フェンスの更に別の設置例を示す正面図。
【図１０】組み立てられた組立式フェンスの更に別の設置例を示す正面図。
【図１１】変形例１として、格子部材の足元形状を示す正面図。
【図１２】変形例２として、（ａ）は格子部材の形状を示す平面図、（ｂ）はその正面図。
【図１３】変形例３として、（ａ）は足元が短尺の格子部材を示す正面図、（ｂ）は足元が長尺の格子部材を示す正面図。
【図１４】組み立てられた組立式フェンスの一態様を示す正面図。
【発明を実施するための形態】
【００１６】
実施の形態を図面に基づいて説明する。説明は、次の項目をもって行なう。
一．組立式フェンスの構造
（１）全体の概要
（２）固定部
（３）端面部材
二．組立式フェンスの組立方法
（１）計測工程
（２）格子部材の配列工程
（３）固定部材の配置工程
（４）固定部材と挟持部材とによる格子部材の挟持工程
三．組立式フェンスの設置例
（１）設置例１
（２）設置例２
（３）設置例３
（４）設置例４
四．作用効果
五．変形例
（１）変形例１
（２）変形例２
（３）変形例３
【００１７】
一．組立式フェンスの構造
組立式フェンス１１の構造を、図１ないし図３に基づいて説明する。
【００１８】
（１）全体の概要
図１に示すように、本実施の形態の組立式フェンス１１は、複数個の格子部材３１を所定間隔で並べ、これを三つの固定部５１によって固定して完成する。図１に示すように、固定部５１の側部に、端面部材７１を取り付けてもよい。図１中、組立式フェンス１１は、格子部材３１を、下端側の配列間隔を上端側の配列間隔よりも狭まるようにして並べ、この状態のまま固定部５１によって固定している。固定部５１は、格子部材３１の上段、中段、及び下段の位置をそれぞれ固定しており、各固定位置では、格子部材３１の配列幅に合わせた長さに設定されている。これにより、組立式フェンス１１は、全体形状が扇方形状となるように組み立てられている。
【００１９】
もっとも、組立式フェンス１１の全体形状が扇形形状となることは、必ずしも必須ではない。複数個の格子部材３１を平行に配列し、これを複数個の固定部５１で連結すれば、全体が矩形形状となる。この場合、個々の固定部５１は、全て同じ長さのものを用いる。本実施の形態の組立式フェンス１１は、このような矩形形状に組み立てることもできる。
【００２０】
組立式フェンス１１の全体形状を扇形形状にするか矩形形状にするかという問題と、個々の固定部５１の長さを揃えるか揃えないかという問題とは、必ずしも必然的な関連性を持つものではない。全て同一の長さの固定部５１を用いたとしても、複数個の格子部材３１を扇形となすように配列すれば、組立式フェンス１１の全体形状は扇形形状となる。個々に異なる長さの固定部５１を用いたとしても、複数個の格子部材３１をそれぞれ平行に配列すれば、組立式フェンス１１の全体形状は矩形形状となる。複数個の格子部材３１をどのように配列するかによって、組立式フェンス１１の全体形状が決まる。
【００２１】
格子部材３１についてもう少し詳しく説明する。格子部材３１は、細長い形状に形成された棒状の部材である。図１では、角柱形状の格子部材３１を示しているが、細長い棒状のものであれば、丸棒形状、楕円棒形状など、各種の形状のものを格子部材３１として用いることができる。もっとも、格子部材３１は、長さ方向に異なる三箇所に、長孔３２を形成している。これらの長孔３２は、格子部材３１の表裏を貫通しており、格子部材３１の長さ方向に長い形状に形成されている。格子部材３１は、長孔３２を形成し得る形状のものでなければならない。
【００２２】
格子部材３１の材質は、鉄、アルミニウム、木など、用途に合わせて適宜選択される。
【００２３】
（２）固定部
図２及び図３に示すように、固定部５１は、共に平板形状に形成された、固定部材５１Ｍと挟持部材５１Ｆとを主体とする。これらの固定部材５１Ｍと挟持部材５１Ｆとで格子部材３１を挟み持つことで、格子部材３１を固定する構造である。本実施の形態の固定部材５１Ｍと挟持部材５１Ｆとは、共に、同一の外形形状及び寸法を備えている。
【００２４】
固定部材５１Ｍは、複数個の突部５２を備えている。これらの突部５２は、例えば円筒形状をしており、固定部５１の一面に、所定間隔で一列に配列されている。挟持部材５１Ｆは、固定部材５１Ｍに設けられた複数個の突部５２が嵌り込む複数個の窪み５３を備えている。これらの窪み５３は、内部に段部５４を備え、径を狭めている。窪み５３に嵌り込んだ突部５２の侵入位置を、段部５４にぶつかる位置までとする仕組みである。窪み５３の内部の段部５４よりも先の部分は、そのまま挟持部材５１Ｆの反対面側に突き抜けている。
【００２５】
このような挟持部材５１Ｆは、窪み５３に嵌り込んだ突部５２を窪み５３の反対側からねじ固定することで、突部５２に着脱自在に固定される。この際、ねじ固定のための構造として用いられるのが、ボルト５５である。ボルト５５は、窪み５３に突部５２を嵌め込んで固定部材５１Ｍと挟持部材５１Ｆとを一体化した状態で、窪み５３の反対側から進入し、突部５２に形成したねじ孔５６にねじ結合される。こうして、突部５２に挟持部材５１Ｆが着脱自在に固定されるわけである。この際、固定部材５１Ｍと挟持部材５１Ｆとは、複数個の格子部材３１を挟み持つ。望ましくは、格子部材３１に形成された長孔３２に、全ての突部５２を通した状態になっていることが良いのだが、個々の格子部材３１の角度によっては、思い通りにいかない場合もある。この場合、幾つかの突部５２は、互いに隣接する格子部材３１の間の隙間に入り込むことになる。
【００２６】
各部の寸法関係を確認する。固定部材５１Ｍと挟持部材５１Ｆとは、格子部材３１を挟み持つことを要求される。このため、突部５２が窪み５３に嵌り込んで段部５４にぶつかったときの固定部材５１Ｍと挟持部材５１Ｆとの間の対向間隔の寸法は、格子部材３１の厚み寸法よりも僅かに小さく設定されていなければならない。このように寸法関係を設定することで、挟持部材５１Ｆが突部５２に固定された状態で、固定部材５１Ｍと挟持部材５１Ｆとの間に格子部材３１を挟み持つことができる。
【００２７】
固定部材５１Ｍ及び挟持部材５１Ｆの材質は、鉄、アルミニウム、木など、用途に合わせて適宜選択される。また、ボルト５５は、ねじ固定のための部品として採用されるものであるが、その属性として最も重要なことは、ねじ構造を有しているということである。この意味で、ねじ構造さえ有しているのであれば、ボルト５５に代えて、例えば雄ねじを採用しても良い。もっとも、ボルト５５の美点は、レンチを用いて締着対象物を強固に固定できるという点にある。本実施の形態は、この点を評価してボルト５５を採用しているわけである。
【００２８】
（３）端面部材
図１に示すように、組立式フェンス１１には、端面部材７１を装着することかでできる。端面部材７１は、個々の固定部５１の側部に取り付けられる。
【００２９】
図２及び図３に示すように、端面部材７１は、平板形状の部材であり、外側に向く面に平坦面７２を備える。組立式フェンス１１に対する取り付けのための構造として備えるのは、ブラケット７３である。ブラケット７３は、平坦面７２の裏面側に設けられた、相対向する一対の平板状金具であり、それぞれ真円形状の装着孔７４を有している。装着孔７４は、固定部材５１Ｍの突部５２を通すことができる径に形成されている。そして、ブラケット７３をなす一対の平板状金具の配置間隔は、その対向間隔外寸として、突部５２が窪み５３に嵌り込んで段部５４にぶつかったときの固定部材５１Ｍと挟持部材５１Ｆとの間の対向間隔の寸法よりも、僅かに大きく設定されている。
【００３０】
組立式フェンス１１に対する端面部材７１の装着は、組立式フェンス１１の組立過程においてなされる。固定部材５１Ｍの突部５２を挟持部材５１Ｆの窪み５３に嵌め込むに際して、最も外側に位置する突部５２をブラケット７３の装着孔７４に通してから窪み５３に嵌め込むようにするのである。こうすることで、端面部材７１は、突部５２に揺動自在に取り付けられる。そして、ボルト５５で締付けて突部５２に挟持部材５１Ｆを固定した状態では、固定部材５１Ｍと挟持部材５１Ｆとの間の対向間隔の寸法よりもブラケット７３をなす一対の平板状金具の配置間隔の寸法の方が僅かに大きいことから、端面部材７１は固定状態となる。そこで、ボルト５５による締め付け前に端面部材７１を揺動させてその角度を設定しておけば、端面部材７１はその角度に固定される。この時、端面部材７１は、最も外側に位置する格子部材３１よりも更に外側に平坦面７２を外向きで位置させることになる。
【００３１】
端面部材７１の材質は、鉄、アルミニウム、木など、用途に合わせて適宜選択される。
【００３２】
二．組立式フェンスの組立方法
以上説明した組立式フェンス１１の組立方法を、図４ないし図６に基づいて説明する。
【００３３】
ここでは、図４に示すように、地面Ｇに定置式フェンス１０１が設置され、これに隣接して斜面ＳＦがある場合の一例を説明する。定置式フェンス１０１としては、一対のポール１０２の間に網状のフェンスパネル１０３を取り付けた構造物を例示するが、云うまでもなく、他の構造のものであってもよい。重要なことは、この定置式フェンス１０１は、従来構造のものなので、矩形をしているということである。斜面ＳＦは、一例として、山の山肌のような自然物であり、別の一例として、擁壁や土手などの人工物である。いずれにしても、図４に例示するような傾斜の斜面ＳＦがあるものとする。以上の状況からして、定置式フェンス１０１と斜面ＳＦとの間には、三角形形状をした隙間が開いてしまう。そこで、本実施の形態では、この隙間を塞ぐことができるような形状に、組立式フェンス１１を組み立てる。
【００３４】
（１）計測工程
まず、図４に示すように、組み立てようとする組立式フェンス１１の大きさを決めるために、塞ごうとする隙間の寸法を計測する。計測は、比較的長さが長い固定部材５１Ｍを用いて行なう。ここでは、組立式フェンス１１と略同じ高さに組立式フェンス１１を組み立てるという想定のもと、定置式フェンス１０１の上部と同じ高さに固定部材５１Ｍを持ち上げ、これを水平にして、定置式フェンス１０１と斜面ＳＦとの間の寸法を計測する。ここで云う計測というのは、ある単位をもつ数値を図って測定することではなく、斜面ＳＦに一端側を合わせた固定部材５１Ｍの、どの位置に定置式フェンス１０１が位置するかを、目分量で測ることを意味する。定置式フェンス１０１が位置する固定部材５１Ｍの位置、つまり計測結果は、例えば、指で押えておく、筆記具で印を付ける、突部５２の個数で憶えておく、などの手法で記録することができる。
【００３５】
（２）格子部材の配列工程
次に、図５に示すように、計測工程で使用した固定部材５１Ｍを利用して、複数個の格子部材３１を配列する。この際、斜面ＳＦの側に位置させた端部と、定置式フェンス１０１が位置した部分との二箇所に格子部材３１を置き、これらの格子部材３１の間に、適当と思われる数の格子部材３１を、理想的には均等に配列する。個々の格子部材３１は、固定部材５１Ｍの突部５２によって位置決めする。
【００３６】
組立式フェンス１１を矩形形状に形成する場合には、図５に示すように、個々の格子部材３１を全て平行に配列すればよい。これに対して、今回は、定置式フェンス１０１と斜面ＳＦとの間にできた三角形形状の隙間（図４参照）を塞ぐ組立式フェンス１１を組み立てるわけなので、個々の格子部材３１の足元部分を互いにくっつけ、扇形形状とする。図６を参照されたい。このため、配列工程では、個々の格子部材３１を、隣接するもの同士が互いに傾斜した状態となるように、所定間隔で並べることになる。
【００３７】
（３）固定部材の配置工程
次に、格子部材３１が備える長孔３２の上段、中段、及び下段のそれぞれの位置に合わせて、三つの固定部材５１Ｍを格子部材３１にあてがう。この際、個々の固定部材５１Ｍが備える突部５２を、好ましくは個々の長孔３２に差し込み、これが叶わない場合には、隣接する格子部材３１の間の隙間に差し込む。図６を参照されたい。
【００３８】
（４）固定部材と挟持部材とによる格子部材の挟持工程
そして、固定部材５１Ｍの突部５２に挟持部材５１Ｆを固定する。この固定は、先に、「一．組立式フェンスの構造（２）固定部」の項目で説明したとおりで、突部５２に挟持部材５１Ｆを固定することで、固定部材５１Ｍと挟持部材５１Ｆとで格子部材３１を挟み持つことができる。
【００３９】
こうして、全体形状が扇形形状となった組立式フェンス１１を組み立てることができる。なお、本挟持工程では、必要に応じて、端面部材７１を組立式フェンス１１に装着することができる。
【００４０】
三．組立式フェンスの設置例
組立式フェンス１１の設置例を、図７ないし図１０に基づいて、四例紹介する。
【００４１】
（１）設置例１
図７に示す設置例は、図４に基づいて説明した定置式フェンス１０１と斜面ＳＦとの間に生ずる三角形形状の隙間に組立式フェンス１１を設置した一例である。図７に示す組立式フェンス１１は、図４ないし図６に基づいて組立方法を説明した組立式フェンス１１と、用いている格子部材３１の本数が異なるが、同じ方法によって組み立てたものである。
【００４２】
図７に示すように、組立式フェンス１１は、扇形形状に組み立てているので、定置式フェンス１０１と斜面ＳＦとの間に生ずる三角形形状の隙間に、丁度良い具合に収まる。隙間に収まった組立式フェンス１１は、一例として、ワイヤ（図示せず）などを用いて定置式フェンス１０１に一側端側を固定することができ、斜面ＳＦへのＵ字釘（図示せず）の打ち込みなどによって別の一側端側を斜面ＳＦに固定することができる。
【００４３】
（２）設置例２
図８に示す設置例は、斜面ＳＦに凹凸がある場合の一例である。この場合、固定部材５１Ｍと挟持部材５１Ｆとからなる固定部５１は、斜面ＳＦの凹凸に合った長さのものが用いられる。つまり、斜面ＳＦの窪んだ場所に延びる固定部５１は、その分長いものが用いられ、斜面ＳＦの出っ張った場所に延びる固定部５１は、その分短いものが用いられる。こうすることで、斜面ＳＦの凹凸によって生ずる空間を、固定部５１によって塞ぐことができる。
【００４４】
（３）設置例３
図９に示す設置例は、複数個の格子部材３１を固定部５１によって上下に繋ぎ、高さを高くした一例である。本実施の形態の組立式フェンス１１は、極めて柔軟な組立構造を有しているので、図９に例示するような発展的組立形状を容易に得ることができる。
【００４５】
（４）設置例４
図１０に例示する設置例は、地面Ｇの傾斜によって定置式フェンス１０１の下縁との間に生ずる隙間に、組立式フェンス１１を設置した一例である。傾斜地に定置式フェンス１０１を設置した場合、傾斜する地面Ｇとの間に、図１０に例示するような三角形形状の隙間が生ずる。本実施の形態の組立式フェンス１１によれば、このような隙間を塞ぐこともできる。
【００４６】
四．作用効果
以上説明したように、本実施の形態によれば、一端側の配列間隔が別の一端側の配列間隔よりも狭まるようにして並べた格子部材３１を複数個の固定部材５１Ｍ及び挟持部材５１Ｆで固定すれば、組立式フェンス１１を扇形形状に組み立てることができる。しかも、複数個の格子部材３１の配列間隔及び隣接するものとの傾斜角度の設定の仕方如何によって、その扇方形状の大きさ及び形状を自由に設定することができる。加えて、図９に例示するように、工夫次第で、極めて柔軟な組立構造を得ることもできる。したがって、本実施の形態の組立式フェンス１１によれば、矩形の定置式フェンス１０１が設置された場所において生ずることがある様々な形状や大きさの隙間を、融通性をもって塞ぐことができる。
【００４７】
また、組立式フェンス１１に端面部材７１を装着した場合には、その平坦面７２を斜面ＳＦに押し当てることで、組立式フェンス１１の設置状態を安定させることができる。端面部材７１は、組立式フェンス１１の組立工程において揺動自在で、その角度を自由に設定することができるため、斜面ＳＦの角度に自身の角度を合わせ込むことが容易である。
【００４８】
五．変形例
実施に際しては、各種の変形や変更が可能である。例えば、本実施の形態では、固定部材５１Ｍと挟持部材５１Ｆとは、共に、同一の外形形状及び寸法を備えたものを用いたが、実施に際して、挟持部材５１Ｆは、必ずしもそのようなものである必要はない。例えば、固定部材５１Ｍが備える突部５２の一つないし数個に対して一つの挟持部材５１Ｆを対応させるようにしてもよい。挟持部材５１Ｆの重要な属性は、突部５２に着脱自在に固定され、突部５２に固定された状態で固定部材５１Ｍと共に格子部材３１を挟み持つ、ということにある。この属性さえ備えているのならば、挟持部材５１Ｆについての各種の変形や変更が可能である。
【００４９】
本実施の形態の組立式フェンス１１は、今まで述べてきたように、全体形状を扇形形状にできる点に特長を有している。この場合、隣接する格子部材３１を互いに近接あるいは接触させる一端側の横幅寸法は、用いる個数分の格子部材３１の横幅寸法の加算値をとり、この加算値よりも小さな寸法にすることができない。このため、どうしても、組立式フェンス１１の下端部（図１０の場合には左側端部）と地面Ｇの間に、小さな隙間が開いてしまう。そこで、以下、このような隙間をできる限り小さくする工夫を、変形例１〜３として、図１１ないし図１４に基づいて紹介する。
【００５０】
（１）変形例１
図１１に示すように、本例は、格子部材３１の互いの配列間隔が狭まる一端側の部分ＬＥを、互いに隣接する面が傾斜したテーパー形状となるように形成したものである。こうすることで、全体を扇形形状に組み立てた組立式フェンス１１において、個々の格子部材３１を互いに近接あるいは接触させる一端側の横幅を詰めることができる。その結果、組立式フェンス１１の下端部（図１０の場合には左側端部）と地面Ｇの間に不可避的に発生する隙間を、より小さくすることができる。
【００５１】
（２）変形例２
図１２（ａ）、（ｂ）に示すように、本例は、格子部材３１の互いの配列間隔が狭まる一端側の部分ＬＥを、互いに隣接する面同士が嵌り合う嵌め合い形状に形成したものである。より詳細には、格子部材３１の互いに隣接する面の一面側にはほぞ部３３を形成し、その裏面側にはほぞ溝３４を形成する。ほぞ部３３とほぞ溝３４とは、互いに嵌め合うことができる寸法に形成する。こうすることで、全体を扇形形状に組み立てた組立式フェンス１１において、個々の格子部材３１を互いに近接あるいは接触させる一端側の横幅を詰めることができる。その結果、組立式フェンス１１の下端部（図１０の場合には左側端部）と地面Ｇの間に不可避的に発生する隙間を、より小さくすることができる。
【００５２】
（３）変形例３
図１３（ａ）、（ｂ）に示すように、本例は、格子部材３１を、互いの配列間隔が狭まる一端側の長さが長短異なる二種類用意したものである。組立式フェンス１１の組立に際しては、図１４に示すように、格子部材３１の異なる種類（長さ）のもの同士が隣接するように、全体を組み立てる。こうすることで、全体を扇形形状に組み立てた組立式フェンス１１において、個々の格子部材３１を互いに近接あるいは接触させる一端側の横幅を詰めることができる。その結果、組立式フェンス１１の下端部（図１０の場合には左側端部）と地面Ｇの間に不可避的に発生する隙間を、より小さくすることができる。
【符号の説明】
【００５３】
３１    格子部材
３２    長孔
５１Ｍ  固定部材
５１Ｆ  挟持部材
５２    突部
５３    窪み
７１    端面部材
７２    平坦面
７３    ブラケット
【図１】
2013124472.tif 000003
【図２】
2013124472.tif 000004
【図３】
2013124472.tif 000005
【図４】
2013124472.tif 000006
【図５】
2013124472.tif 000007
【図６】
2013124472.tif 000008
【図７】
2013124472.tif 000009
【図８】
2013124472.tif 000010
【図９】
2013124472.tif 000011
【図１０】
2013124472.tif 000012
【図１１】
2013124472.tif 000013
【図１２】
2013124472.tif 000014
【図１３】
2013124472.tif 000015
【図１４】
2013124472.tif 000016